(57)【要約】      （修正有）【課題】複数の通信手段を有する携帯端末であって、適切な通信手段を選択して送受信する。【解決手段】携帯端末１Ａから携帯端末１Ｂにデータを送信する際、まずユーザＡとユーザＢが、携帯端末１Ａの非接触通信ポートと携帯端末１Ｂの非接触通信ポートを近接させて送受信操作を行う。携帯端末１Ａの非接触通信部は、データの識別情報および携帯端末１Ａが送信可能な少なくとも１つの通信手段を記載した通信手段テーブルを携帯端末１Ｂに送信し、携帯端末１Ｂの非接触通信部はこれを受信する。次にユーザＢがデータの受信を「許可する」旨の判定を行うと、制御部は、テーブル記憶部に格納されている通信手段テーブルを参照し、受信したデータの識別情報および携帯端末１Ａの通信手段テーブルに基づいて、データを受信するのに最適な通信手段を選択する。【選択図】図１
2011071602.tif 000002
【特許請求の範囲】
【請求項１】
複数の無線通信部と、
前記複数の無線通信部に含まれており、前記複数の無線通信部それぞれに関する通信情報および所定データの識別情報を他の携帯端末に非接触通信で送信し、前記他の携帯端末が有する複数の無線通信部の１つであって、送信した前記通信情報および前記所定データの識別情報に基づいて前記他の携帯端末にて選択された第１の無線通信部に関する情報を前記他の携帯端末から非接触通信で受信する非接触通信部と、
前記非接触通信部で前記他の携帯端末から受信した前記第１の無線通信部に関する情報に基づき、本端末の前記複数の無線通信部に含まれる、前記第１の無線通信部と同種の通信手段である第２の無線通信部を選択する選択部と、
を有し、
前記選択部で選択した前記第２の無線通信部は、前記所定データを前記他の携帯端末に送信するよう構成される、
ことを特徴とする携帯端末。
【請求項２】
前記通信情報は、前記複数の無線通信部それぞれにおける通信可能なデータの種類、および前記複数の無線通信部のそれぞれで通信可能な最大のデータサイズを含む、ことを特徴とする請求項１記載の携帯端末。
【請求項３】
前記データの識別情報は、前記データ自身が有する種類およびデータサイズの情報であることを特徴とする請求項１記載の携帯端末。
【請求項４】
前記複数の無線通信部から所定の無線通信部を選択して通信するための優先順位を前記無線通信部それぞれに振り、
課金されない無線通信部の前記優先順位は、課金される無線通信部の前記優先順位よりも高く設定され、
前記所定データの識別情報や、現在使用中の無線通信部の有無により、前記優先順位が変更されることを特徴とする請求項１および２記載の携帯端末。
【請求項５】
前記複数の無線通信部は、遠距離通信手段および近距離通信手段を含むことを特徴とする請求項１記載の携帯端末。
【請求項６】
複数の無線通信部に含まれており、前記複数の無線通信部それぞれに関する通信情報および所定データの識別情報を他の携帯端末に非接触通信で送信し、前記他の携帯端末が有する複数の無線通信部の１つであって、送信した前記通信情報および前記所定データの識別情報に基づいて前記他の携帯端末にて選択された第１の無線通信部に関する情報を前記他の携帯端末から非接触通信で受信し、
前記他の携帯端末から受信した前記第１の無線通信部に関する情報に基づき、本端末の前記複数の無線通信部に含まれる、前記第１の無線通信部と同種の通信手段である第２の無線通信部を選択し、
選択した前記第２の無線通信部は、前記所定データを前記他の携帯端末に送信する、
ことを特徴とする携帯端末における通信方法。
【発明の詳細な説明】
【技術分野】
【０００１】
本発明は、非接触ＩＣチップを搭載した携帯端末および携帯端末における通信方法に関する。
【背景技術】
【０００２】
近年の携帯端末は多機能化が進み、通話やメール送受信のみではなく、様々なデータを送受信するために、多くの通信手段を内蔵している。電話網を用いたパケット通信手段、モバイルFeliCa（登録商標）ＩＣチップに代表される非接触ＩＣチップで決済処理や各種認証を行う非接触通信手段、赤外線を用いて送受信する赤外線通信手段、Bluetooth（登録商標）を用いた近距離通信手段、無線ＬＡＮ通信手段等、複数の通信手段が１台の携帯端末に組み込まれており、用途に応じて通信手段を使い分けている。
【０００３】
特許文献１には、標準通信部と近距離通信部を備えた無線通信装置であって、他の無線通信装置との通信に関する設定を変更するための設定パラメータを送信する際に、近距離通信部を稼働させる技術が開示されている。
【先行技術文献】
【特許文献】
【０００４】
【特許文献１】特開２００３−１５２７３５号公報
【発明の概要】
【発明が解決しようとする課題】
【０００５】
しかし、携帯端末内蔵の通信手段が多いために、ユーザが混乱することもある。例えば、データを送信する際に、データ量に対しどの通信手段が適切か、どの操作方法がどの通信手段に対応しているかを、ユーザが判断しなければならない。また、複数の通信手段を有する場合、送信側の携帯端末のユーザが、相手先の携帯端末が対応する通信手段をあらかじめ把握して、適切な通信手段で送信しなければならず、煩雑である。
【０００６】
本発明はこのような点を考慮してなされたもので、複数の通信手段を有する携帯端末であって、適切な通信手段を選択して送受信することができる携帯端末および携帯端末における通信方法を提供することを目的とする。
【課題を解決するための手段】
【０００７】
本発明に係る携帯端末は、複数の無線通信部と、前記複数の無線通信部に含まれており、前記複数の無線通信部それぞれに関する通信情報および所定データの識別情報を他の携帯端末に非接触通信で送信し、前記他の携帯端末が有する複数の無線通信部の１つであって、送信した前記通信情報および前記所定データの識別情報に基づいて前記他の携帯端末にて選択された第１の無線通信部に関する情報を前記他の携帯端末から非接触通信で受信する非接触通信部と、前記非接触通信部で前記他の携帯端末から受信した前記第１の無線通信部に関する情報に基づき、本端末の前記複数の無線通信部に含まれる、前記第１の無線通信部と同種の通信手段である第２の無線通信部を選択する選択部と、を有し、前記選択部で選択した前記第２の無線通信部は、前記所定データを前記他の携帯端末に送信するよう構成される、ことを特徴とする。
【０００８】
本発明に係る携帯端末における通信方法は、複数の無線通信部に含まれており、前記複数の無線通信部それぞれに関する通信情報および所定データの識別情報を他の携帯端末に非接触通信で送信し、前記他の携帯端末が有する複数の無線通信部の１つであって、送信した前記通信情報および前記所定データの識別情報に基づいて前記他の携帯端末にて選択された第１の無線通信部に関する情報を前記他の携帯端末から非接触通信で受信し、前記他の携帯端末から受信した前記第１の無線通信部に関する情報に基づき、本端末の前記複数の無線通信部に含まれる、前記第１の無線通信部と同種の通信手段である第２の無線通信部を選択し、選択した前記第２の無線通信部は、前記所定データを前記他の携帯端末に送信する、ことを特徴とする。
【発明の効果】
【０００９】
本発明に係る携帯端末および携帯端末における通信方法によれば、複数の通信手段を有する携帯端末であって、適切な通信手段を選択して送受信することができる。
【図面の簡単な説明】
【００１０】
【図１】本発明の一実施形態に係る携帯端末の概略構成を示すブロック図。
【図２】同上の実施形態における携帯端末の外観図。
【図３】同上の実施形態における通信手段テーブルの例を示す図。
【図４】同上の実施形態における携帯端末の動作を示すフローチャート。
【図５】同上の実施形態における携帯端末の、通信手段を選択する動作を示すフローチャート。
【図６】同上の実施形態における携帯端末の、通信手段を選択する動作を示す説明図。
【図７】同上の実施形態における携帯端末の、非接触通信部が起動した際の詳細を示す説明図。
【図８】同上の実施形態における携帯端末の、赤外線通信部が起動した際の詳細を示す説明図。
【図９】同上の実施形態における携帯端末の、Bluetooth通信部が起動した際の詳細を示す説明図。
【発明を実施するための形態】
【００１１】
以下、本発明の実施形態を添付図面に基づいて説明する。
【００１２】
図１は、本発明の一実施形態に係る携帯端末１の概略構成を示すブロック図である。携帯端末１は、制御部１０、電源回路部１１、表示部１２、キー操作検出部１３、音声制御部１４、無線通信部１５、記憶部１６、情報記憶媒体１７、データ記憶部２１、テーブル記憶部２２がバスによって相互に通信可能に接続されて構成されている。
【００１３】
電源回路部１１は、電力供給源（バッテリ等）を備え、操作入力制御部１３の操作キー５３を介した入力に基づいて携帯端末１の電源のＯＮ／ＯＦＦ状態を切り替え、電源がＯＮ状態の場合に電力供給源から各部に対して電力を供給して、携帯端末１を動作可能にする。
【００１４】
表示部１２はディスプレイ５２に対する表示インタフェースを備え、制御部１０の制御に基づいて、文書や画像等からなる画面をディスプレイ５２に表示する。キー操作検出部１３は操作キー５３に対する入力インタフェースを備え、操作キー５３の押下の操作を検出すると、それらの操作を示す信号を生成して、この信号を制御部１０に伝送する。
【００１５】
音声制御部１４は、制御部１０の制御に基づいて、マイクロフォン１４２で集音された音声からアナログ音声信号を生成し、このアナログ音声信号をデジタル音声信号に変換する。また音声制御部１４は、デジタル音声信号を取得すると、制御部１０の制御に基づいて、このデジタル音声信号をアナログ音声信号に変換し、スピーカ１４１から音声として出力する。
【００１６】
無線通信部１５は複数の通信手段を有し、非接触通信部１５１、赤外線通信部１５２、Bluetooth通信部１５３、無線LAN通信部１５４、課金通信部１５５を含む。
【００１７】
課金通信部１５５は、アンテナ１５ａを用い数ｋｍ離れた基地局を介して他の携帯端末等に通信を行う標準的な遠距離通信手段である。課金通信部１５５を用いて通信する場合は、電話網を使用するため通信会社に対する通信料が発生する。課金通信部１５５は、制御部１０の制御に基づいて、基地局からアンテナ１５ａを介して受信した受信信号をスペクトラム逆拡散処理してデータを復元する。このデータは、制御部１０の指示により、音声制御部１４に伝送されてスピーカ１４１から出力されたり、表示部１２に伝送されて表示されたり、または記憶部１６に記録されたりする。また課金通信部１５５は、制御部１０の制御に基づいて、マイクロフォン１４２で集音された音声データや、キー操作検出部１３で入力されたデータや記憶部１６に記憶されたデータを取得すると、これらのデータに対してスペクトラム拡散処理を行い、基地局に対してアンテナ１５ａを介して送信する。
【００１８】
非接触通信部１５１は、FeliCa（登録商標）チップを搭載し、携帯端末１の外面にある非接触通信ポート（後述する）を、FeliCa（登録商標）リーダー／ライター装置や他のFeliCa（登録商標）チップ搭載携帯電話機の非接触通信ポート等に近接させて、非接触の近距離無線通信を行う。
【００１９】
赤外線通信部１５２は、赤外線のIrDA（Infrared Data Association）方式を用いて、他のIrDA方式の赤外線通信部を搭載した端末との近距離無線通信を行う。通信距離は、IrDA DATA1.4の規格で１ｍである。赤外線通信を行う端末同士は、遮蔽物が無いように赤外線通信ポート（後述する）を互いに向かい合わせて通信を行う。
【００２０】
Bluetooth通信部１５３は、Bluetooth（登録商標）を用いて、他のBluetooth（登録商標）を搭載した装置と近距離無線通信を行う。通信距離は最も長い通信距離の規格で最長１００ｍである。Bluetooth（登録商標）は、その性質上、通信を行う端末間に遮蔽物があっても、通信を行う事が可能である。
【００２１】
無線LAN通信部１５４は、Wi-Fi（登録商標）に準拠しており、他の搭載端末とアドホック通信を行ったり、携帯端末１近辺のアクセスポイントを経由して他の搭載端末との通信を行ったりする。
【００２２】
非接触通信部１５１、赤外線通信部１５２、Bluetooth通信部１５３、無線LAN通信部１５４は、数ｃｍ〜１００ｍ程度の近距離における通信手段である。課金通信部１５５以外の通信手段を用いて通信する場合は、携帯端末同士で直接送受信するか、または携帯端末が現在居る場所近辺のアクセスポイントを介して送受信するかのどちらかであり、電話網を使用しないので、通信料がかからない。
【００２３】
なお、非接触通信部１５１、Bluetooth通信部１５３、及び無線LAN通信部１５４は、夫々課金通信部１５５のアンテナ１５ａとは異なるアンテナを使用して通信を行うが、ここでは図示を省略している。
【００２４】
記憶部１６は、制御部１０や無線通信部１５などのワーク領域となるもので、その機能はＲＡＭ（Ｒａｎｄｏｍ  Ａｃｃｅｓｓ  Ｍｅｍｏｒｙ）などにより実現できる。
【００２５】
情報記憶媒体１７（コンピュータにより読み取り可能な媒体）は、プログラムやデータなどを格納するものであり、その機能は、ハードディスク、或いはメモリ（ＲＯＭ：Ｒｅａｄ  Ｏｎｌｙ  Ｍｅｍｏｒｙ）などにより実現できる。情報記憶媒体１７は、本実施形態の各部としてコンピュータを機能させるためのプログラム（各部の処理をコンピュータに実行させるためのプログラム）、複数のアプリケーション等が記憶される。
【００２６】
データ記憶部２１は、文字や画像等の各種データを格納する。テーブル記憶部２２は、無線通信部１５に含まれる、複数の各種通信手段で送受信可能なデータの種類とデータサイズのしきい値を記載した通信手段テーブル２２１を格納している。図３に、携帯端末１における通信手段テーブル２２１の例を示す。
【００２７】
図３に示した通信手段テーブル２２１では、無線通信部１５に含まれる全ての通信手段について記載しているが、携帯端末によっては、例えば無線LAN通信部１５４とBluetooth通信部１５３とを備えていない場合等も考えられる。
【００２８】
また図３では、各通信手段に選択順として番号を振っているが、これは同じデータ種類およびデータサイズの場合に、通信手段を選択する際の優先順位である。例えば、送信側携帯端末が図３に示す通信手段を全て有しているとして、データサイズがx1GBの動画データを送信する際、赤外線通信部１５２および非接触通信部１５１ではデータサイズのしきい値を超えており、データ種類も異なるため送信できない。無線LAN通信部１５４、Bluetooth通信部１５３、課金通信部１５５では送信できるので、選択順に従って、無線LAN通信部１５４を用いて送信する。課金通信部１５５は他の通信手段と異なり通信料がかかるため、選択順の下位になっている。
【００２９】
非接触通信部１５１は、データサイズの大きいデータを通信するのには不向きなので、おもにアドレス帳やスケジュール等、データサイズの小さいテキストデータを通信するのに使用される。そのため、選択順の番号を割り当てない。
【００３０】
図２は、本発明の一実施形態に係る携帯端末１の外観図であり、（Ａ）は開いたときの内面（操作面）、（Ｂ）は開いたときの外面である。携帯端末１は、図２（Ａ）、（Ｂ）に示すように、主に、矩形の板状の上筐体５０と、この上筐体５０とほぼ同形状をした下筐体５１とにより構成されていて、これらの上筐体５０及び下筐体５１は、閉じた状態において相互に一面を覆うように積層されている。上筐体５０及び下筐体５１は、ヒンジ部５４を挟むようにヒンジ結合されていて、上筐体５０は下筐体５１に対して、ヒンジ部５４を軸にして、図２（Ａ）、（Ｂ）のＸ方向に所定角度だけ回転自在なように形成されている。携帯電話機１は、上筐体５０を下筐体５１に対して回転させることにより、閉じた状態から開いた状態に、あるいは開いた状態から閉じた状態に変形する。
【００３１】
上筐体５０の内面（下筐体５１に対面する側の面）には、文字や画像等からなる表示情報を表示するためのディスプレイ５２、音声を出力するスピーカ１４１が設けられている。これらのディスプレイ５２、スピーカ１４１は、携帯電話機１が閉じた状態のときには、下筐体５１により覆われていて外部に露出していないが、上筐体５０を下筐体５１に対して回転させて開いた状態に変形させたときには外部に露出される。ユーザは、携帯電話機１を開いた状態に変形させることにより、ディスプレイ５２の表示画面を視認することができる。
【００３２】
下筐体５１の内面（上筐体５０に対面する側の面）には、押下されることにより指示を入力する複数の操作キー５３、音声を集音するためのマイクロフォン１４２が設けられている。これらの操作キー５３、及びマイクロフォン１４２は、携帯電話機１が閉じた状態のときには、上筐体５０により覆われていて外部に露出していないが、上筐体５０を下筐体５１に対して回転させて開いた状態に変形させたときには外部に露出される。ユーザは、携帯電話機１を開いた状態に変形させることにより、操作キー５３を用いた入力を行うことができる。
【００３３】
下筐体５１の外面（上筐体５０と対面しない側の面）には、非接触通信ポート５５２が設けられ、内側にFeliCa（登録商標）チップを有する非接触通信部１５１を備えている。また下筐体５１の外面には、赤外線通信部１５２を備えた赤外線ポート５５１が設けられている。また、下筐体５１下部の内側には、アンテナ１５ａが内蔵されている。
【００３４】
次に、上記構成における携帯端末１のデータ送受信動作について、図４のフローチャートを参照して説明する。本実施形態では、携帯端末１Ａを所有するユーザＡと、携帯端末１Ｂを所有するユーザＢとが近くにおり、ユーザＡが、携帯端末１Ａに記憶されているデータＭをユーザＢの携帯端末１Ｂに送信する動作について説明する。
【００３５】
携帯端末１Ａおよび携帯端末１Ｂは、それぞれ待受状態である（ステップＳ１０１、Ｓ２０１）。ユーザＡが携帯端末１Ａの操作キー５３Ａを用いて、データＭを選択する操作を行うと、制御部１０Ａは、データ記憶部２１Ａに格納されたデータから、送信するデータＭを選択する（ステップＳ１０３）。次にユーザＡとユーザＢは、携帯端末１Ａの非接触通信ポート５５１Ａと携帯端末１Ｂの非接触通信ポート５５１Ｂを近接させ（ステップＳ１０５、Ｓ２０３）、ユーザＡが操作キー５３Ａを用いて送信操作を行い、ユーザＢが操作キー５３Ｂを用いて受信操作を行う。携帯端末１Ａの非接触通信部１５１Ａは、データＭのデータ種類およびデータサイズ（これらを以後、データＭの識別情報と呼ぶ）、およびテーブル記憶部２２Ａに格納している、携帯端末１Ａで送信可能な少なくとも１つの通信手段を記載した通信手段テーブル２２１Ａを携帯端末１Ｂに送信し（ステップＳ１０７）、携帯端末１Ｂの非接触通信部１５１Ｂはこれを受信する（ステップＳ２０５）。
【００３６】
次に携帯端末１Ｂの表示部１２Ｂは、「データＭの受信を許可しますか？」のメッセージをディスプレイ５２Ｂに表示させ、ユーザＢにデータＭの受信を許可するか否か訪ねる（ステップＳ２０７）。ユーザＢが操作キー５３Ｂを用いて「許可しない」旨の判定を行うと（ステップＳ２０９で「Ｎｏ」）、制御部１０ＢはステップＳ２０１の待受状態に戻る。
【００３７】
一方、ユーザＢがデータＭの受信を「許可する」旨の判定を行うと（ステップＳ２０９で「Ｙｅｓ」）、制御部１０Ｂは、テーブル記憶部２２Ｂに格納されている通信手段テーブル２２１Ｂを参照し、ステップＳ２０５で受信したデータＭの識別情報および携帯端末１Ａの通信手段テーブル２２１Ａに基づいて、携帯端末１Ｂが有し、データＭを受信するのに最適な通信手段を選択する（ステップＳ２１１）。
【００３８】
携帯端末１Ｂの非接触通信部１５１Ｂは、ステップＳ２１１で選択した通信手段について、通信手段テーブル２２１Ｂに格納している当該通信手段に関する情報（通信手段に対応するデータの種類およびデータサイズのしきい値）を、近接している携帯端末１Ａに送信し（ステップＳ２１３）、携帯端末１Ａの非接触通信部１５１Ａはこれを受信する（ステップＳ１０９）。携帯端末１Ａの制御部１０Ａは、ステップＳ１０９で受信した当該通信手段に関する情報に基づき、無線通信部１５Ａ内の、対応する通信手段を決定し起動する（ステップＳ１１１）。次に、無線通信部１５Ａ内の当該通信手段はデータＭを携帯端末１Ｂに送信する（ステップＳ１１３）。携帯端末１Ｂの無線通信部１５Ｂは、ステップＳ１１３で送信されたデータＭを、ステップＳ２１３で携帯端末１Ａに送信した通信手段で受信する（ステップＳ２１５）。
【００３９】
ここで、ステップＳ２１１の動作の具体例について、図５と図６に示す。携帯端末１Ａの無線通信部１５Ａは、非接触通信部１５１Ａ、赤外線通信部１５２Ａ、Bluetooth通信部１５３Ａ、無線LAN通信部１５４Ａ、課金通信部１５５Ａを含み、図６に示す通信手段テーブル２２１Ａを有する。また、携帯端末１Ｂの無線通信部１５Ｂは、非接触通信部１５１Ｂ、赤外線通信部１５２Ｂ、Bluetooth通信部１５３Ｂ、課金通信部１５５Ｂを含み、図６に示す通信手段テーブル２２１Ｂを有する。また、送信するデータＭのデータ種類は写真、データサイズはx2GB（x1＞x2＞x3）であるとする。
【００４０】
図５で、携帯端末１Ｂは、ステップＳ２０５で受信した、携帯端末１Ａが送信可能な通信手段を参照して、これに対応可能な通信手段を少なくとも１つ有しているか判断する（ステップＳ３０１）。携帯端末１Ｂは、無線LAN通信部を有していないため、無線LAN通信には対応不可能であるが、他の通信手段には対応可能である。対応可能な通信手段を少なくとも１つ有している場合（ステップＳ３０１で「Ｙｅｓ」）、制御部１０Ｂは、それらの通信手段のうち、現在他の通信で使用中の通信手段があるか否かを判断する（ステップＳ３０３）。現在使用中の通信手段がある場合（ステップＳ３０３で「Ｙｅｓ」）、制御部１０Ｂは使用中の通信手段について、現在の通信を切断するか否か判断する（ステップＳ３０５）。使用中の通信手段が現在の通信を切断する場合（ステップＳ３０５で「Ｙｅｓ」）、この通信手段における現在の通信を切断する（ステップＳ３０７）。使用中の通信手段が現在の通信を切断しない場合（ステップＳ３０５で「Ｎｏ」）、制御部１０Ｂは、携帯端末１Ａとの通信に対応可能な通信手段から、この使用中の通信手段を除外する（ステップＳ３０９）。なお、使用中の通信手段における、現在の通信を切断するか否かの判断基準は、あらかじめ設定して記憶部１６Ｂに格納していてもよい。例えば、課金通信部１５５Ｂで大容量のデータを現在受信中である場合は、受信時間がかかり、一度通信を切断すると後で再度時間をかけて受信しなければならなくなるため、課金通信部の現在の通信を切断しない等の設定としてもよい。
【００４１】
次に制御部１０Ｂは、通信手段テーブル２２１Ｂより、携帯端末１Ａとの通信に対応可能であり、ステップＳ３０９で除外していない少なくとも１つの通信手段を抽出し、通信手段を選択する優先順位である選択順の番号を、元の通信手段テーブル２２１Ｂにおける選択順と合うように振り直す（ステップＳ３１１）。例えば図６より、課金通信部１５５Ｂが使用中で、ステップＳ３０９で除外されたとすると、抽出される通信手段は、Bluetooth通信部１５３Ｂ、赤外線通信部１５２Ｂ、非接触通信部１５１Ｂの３つである。非接触通信部１５１Ｂは選択順の番号を割り当てないので、制御部１０Ｂは、Bluetooth通信部１５３Ｂと赤外線通信部１５２Ｂとに選択順の番号を順に振り直す。
【００４２】
次に制御部１０Ｂは、データＭの識別情報（データ種類：写真、データサイズ：x2GB）に基づき、データＭを受信可能な通信手段の候補を決定する（ステップＳ３１３）。図６の例では、データ種類「写真」に対応し、データサイズがx2GB以上のしきい値を有する、Bluetooth通信部１５３Ｂと赤外線通信部１５２Ｂが候補に挙げられる。制御部１０Ｂは、ステップＳ３１１で振り直した選択順より、通信手段としてBluetooth通信部１５３Ｂを選択する（ステップＳ３１５）。
【００４３】
ここで、ステップＳ１１１で各種通信手段が起動した際の、通信手段それぞれの詳細動作について、図７、図８、図９を参照して説明する。
【００４４】
図４のステップＳ１１１で非接触通信部１５１Ａが起動した場合（図７）、携帯端末１Ａおよび携帯端末１Ｂの表示部１２Ａ、１２Ｂは、ディスプレイ５２Ａ、５２Ｂに「そのまま非接触通信ポートを接近させてください」というメッセージを表示させる。ユーザＡ、ユーザＢは携帯端末１Ａの非接触通信ポート５５１Ａと携帯端末１Ｂの非接触通信ポート５５１Ｂをそのまま近接させる。携帯端末１Ａの非接触通信部１５１Ａは、データＭを携帯端末１Ｂの非接触通信部１５１Ｂに送信する（ステップＳ１１３）。非接触通信部１５１ＢはデータＭを受信し取得する（ステップＳ２１５）。
【００４５】
図４のステップＳ１１１で赤外線通信部１５２Ａが起動した場合（図８）、携帯端末１Ａおよび携帯端末１Ｂの表示部１２Ａ、１２Ｂは、ディスプレイ５２Ａ、５２Ｂに「赤外線ポートを向かい合わせてください」というメッセージを表示させる。ユーザＡ、ユーザＢは、それぞれ携帯端末１Ａ、携帯端末１Ｂの赤外線ポート５５２Ａ、５５２Ｂを向かい合わせる。携帯端末１Ａの赤外線通信部１５２Ａは、データＭを携帯端末１Ｂの赤外線通信部１５２Ｂに送信する（ステップＳ１１３）。赤外線通信部１５２ＢはデータＭを受信し取得する（ステップＳ２１５）。
【００４６】
図４のステップＳ１１１でBluetooth通信部１５３Ａが起動した場合（図９）、携帯端末１Ａと携帯端末１Ｂは、互いの距離が数ｍ程度離れていても通信可能である。携帯端末１Ａおよび携帯端末１Ｂの表示部１２Ａ、１２Ｂは、ディスプレイ５２Ａ、５２Ｂに、「Bluetoothで通信を行います」というメッセージを表示させ、両端末が極端に近接しているのを解くよう促す。携帯端末１ＡのBluetooth通信部１５３Ａは、データＭを携帯端末１ＢのBluetooth通信部１５３Ｂに送信する（ステップＳ１１３）。Bluetooth通信部１５３ＢはデータＭを受信し取得する（ステップＳ２１５）。無線LAN通信部１５４Ａ、１５４Ｂで通信する場合、または課金通信部１５５Ａ、１５５Ｂで通信する場合も同様である。
【００４７】
以上述べたように本発明では、複数の通信手段を有する携帯端末において、送信側の携帯端末が受信側の携帯端末に、あらかじめデータの識別情報や送信可能な少なくとも１つの通信手段の情報を、非接触通信部を用いて送信する。受信側の携帯端末は、これらの情報から、自身が有する通信手段であって、データの識別情報に適した通信手段を選択して、送信側の携帯端末に選択した通信手段の情報を返す。送信側の携帯端末は、受信側の携帯端末が選択した通信手段でデータを送信する。これにより、あらかじめ非接触通信でデータの識別情報や通信手段の情報をやりとりすることで、最適な通信手段を携帯端末が自動的に選択し、データを送受信することができる。また、ユーザの操作を簡易化することができ、ユーザの負担を軽減することができる。
【００４８】
以上、本発明の実施形態について図面を参照して詳述してきたが、具体的な構成はこの実施形態に限られるものではなく、本発明の要旨を逸脱しない範囲の設計変更等も含まれる。
【００４９】
例えば、送信するデータを携帯端末１Ａのディスプレイ５２Ａに表示させておき、ユーザが非接触通信ポート５５１Ａと携帯端末１Ｂの非接触ポート５５１Ｂとを近接させた際に、ユーザの操作が無くても自動的に携帯端末１Ａが当該データの識別情報および通信手段の情報を携帯端末１Ｂに非接触通信で送信してもよい。
【００５０】
また、上記実施形態ではデータの送受信について述べたが、携帯端末１Ａと携帯端末１Ｂとを非接触通信した際に、最適な通信手段を決定すると共に、両方にあらかじめ組み込まれているアプリケーションを起動させ、最適な通信手段でオンラインゲーム等を行う仕様にしてもよい。
【００５１】
また、上記実施形態における携帯電話機の代わりに、無線通信機能を備えた携帯型パーソナル・コンピュータ又はＰＤＡ（Personal Digital Assistance）、携帯音楽プレイヤー、携帯ビデオカメラ、携帯ゲーム機等に本発明を適用してもよい。
【符号の説明】
【００５２】
１…携帯端末、１０…制御部、１１…電源回路部、１２…表示部、１３…キー操作検出部、１４…音声制御部、１５…無線通信部、１５ａ…アンテナ、１６…記憶部、１７…情報記憶媒体、２１…データ記憶部、２２…テーブル記憶部、５２…ディスプレイ、５３…操作キー、１４１…スピーカ、１４２…マイクロフォン、１５１…非接触通信部、１５２…赤外線通信部、１５３…Bluetooth通信部、１５４…無線LAN通信部、１５５…課金通信部、２２１…通信手段テーブル、５５１…非接触通信ポート、５５２…赤外線通信ポート。
【図１】
2011071602.tif 000003
【図２】
2011071602.tif 000004
【図３】
2011071602.tif 000005
【図４】
2011071602.tif 000006
【図５】
2011071602.tif 000007
【図６】
2011071602.tif 000008
【図７】
2011071602.tif 000009
【図８】
2011071602.tif 000010
【図９】
2011071602.tif 000011